(57)【特許請求の範囲】
【請求項１】
耐火性シートからなるスクリーン本体に、避難者が通過可能な避難口となる開口スリットを設け、該開口スリットで区分される片側シート部をシート状扉となし、また上記開口スリットで区分される他側シート部には、上記開口スリット上に重ね合わせるシート状カバーを設け、さらに上記スクリーン本体の下縁には、該スクリーン本体を重力降下せしめるためのメインウエイトバーを設けると共に上記シート状扉の下縁には、一端が上記メインウエイトバーに対してシート状扉を閉方向へ復元可能に軸支され、他端は自由動作端となっている扉用ウエイトバーを取り付けてなる防火防煙シャッターにおいて、一端は開放角度規制手段を介して上記メインウエイトバーに軸支され、他端は自由動作端であって上記扉用ウエイトバーの自由端部表側と係止可能に位置されているカバー取付バーと、一端が該カバー取付バーの裏側面で支軸を介して軸支され、その他端は自由動作端であって上記扉用ウエイトバーの自由端部裏側と係止可能に対応位置されている副片とからなるカバーガイド構体を設け、該カバーガイド構体のカバー取付バーと副片とを軸支している支軸には、上記カバー取付バーの自由端側と上記副片の自由端側との間を常に押し開くように付勢する付勢手段を有し、更にカバーガイド構体のカバー取付バーに、上記シート状カバーの下縁を取付けてなることを特徴とする耐火性シートを用いた防火防煙シャッター。
【請求項２】
開放角度規制手段は、上記メインウエイトバーの端部に取付けられる第１の取付片と、上記カバー取付バーの一端に取付けられる第２の取付片とを有し、その両取付片とを、支軸で連結すると共に、両取付片の取付面が平面となるように位置規制する規制構造と、上記カバー取付バーが開放動作されたとき、上記両取付片のそれぞれの取付面でなされる角度が所定の角度で保持されるように位置規制する規制構造を有していることを特徴とする請求項１に記載の耐火性シートを用いた防火防煙シャッター。
【発明の詳細な説明】
【０００１】
【発明の属する技術分野】
本発明は、避難口を有する耐火性シートを用いた防火防煙シャッターに係り、特に避難者が通過する以前および通過後の上記避難口の密閉性能を高めることを可能ならしめるとともに避難者の円滑なる通行を可能とする耐火性シートを用いた防火防煙シャッターに関するものである。
【０００２】
【従来の技術】
ビル等の建築物内の通路等には、火災時に発生する炎や煙の流通を遮蔽するための手段として、例えば金属、材料、耐火、ボード材料等により構築された防火防煙シャッターの設備が一般的であるが、近年では上記金属材料、耐火材料により構築された防火防煙シャッターに代わり、例えばシリカクロスやガラスクロス等の耐火性シートを用いた耐火シート製の防火防煙シャッターが開発され、既に実用化されるに至っている。
【０００３】
この耐火性シートを用いた防火防煙シャッターとして例えば特許第３０９７５４３号公報で開示されているように、避難時において、避難者が通過し得るようにするためのスリットを耐火性シートに設けた構造の防火防煙シャッターが公知技術として知られている。
公知技術に係る、耐火性シートに設けたスリットを利用した避難口は、構造が簡単で、且つ、避難者の通過も容易であるという利点を有する。
しかしながら、単にスリットを設けただけの構造であるために、例えば火災発生時に風圧、煙圧が高まると、そのスリットを通じて炎や煙（ガス）が流れてしまい防火防煙シャッター本来の機能が果されずに炎、煙等の遮蔽性能が損なわれてしまうことが考えられる。
【０００４】
そこで、本出願人は、先に避難口における通過の容易性と防火防煙シャッターに要求される遮蔽機能とを両立させた防火防煙シャッターに係る出願を済ませている。
【特許文献１】
特開２０００―８０８６６号公報
【０００５】
上記防火防煙シャッターの構成は、本願図８に示すように、耐火性シートからなるシャッターカーテン１０（スクリーン本体）に、避難口１となるスリット８を設け、そのスリット８の片側方をシート状扉２となすと共に、そのスリット８の反対側方に、上記シート状扉２の辺縁部と重り合う形状となしたシート状カバー３を取り付けて、該シート状カバー３をシート状扉２の辺縁に重ね合せると共に上記スリット面に重ね合せることでシート状扉の動きを規制しながらスリットを閉塞して、遮蔽機能を向上せしめるものである。
また、シート状カバー３の閉塞規制を上端で強く、下端で弱くなるように構成し、該シート状カバー３によるスリット８の閉塞規制作用が強化されても、シート状扉の円滑な開閉が困難とならないように、良好な遮蔽性と開口性の両立を可能にしている。
さらに、シート状カバー３下端部と重り４とが重なり合わないように、シート状扉２の下端部に重り４を取付け、重り４の回転軌跡上にシート状カバー３が入りこまないように配置することにより、円滑且つ自動的な扉の開閉運動を可能にしている。
【０００６】
図８は、上記構成に係る防火防煙シャッターを示した説明図であって、図９は、上記構成に係る防火防煙シャッターの動作説明図である。
避難時における、上記防火防煙シャッターの動作は次の通りである。
避難者７が図８に示すシャッターの裏面から表面側に通過しようとする場合は、スリット８を裏面から手前方向に押し開いて避難口１を形成し、該スリット８の押し広げ荷重を受けて、シート状扉２とシート状カバー３が避難口１を開口することにより、避難者の通過が可能となる（図８及び図９ロ参照）。
避難口１の開口後、例えば一人若しくは小人数の避難者７の通過により比較的早い時期にシート状扉２及びシート状カバー３が閉塞動作に戻るときは、該シート状扉２及びシート状カバー３の復元力も、比較的円滑に作用するため、避難口の閉塞復元性も円滑に作用する。
【発明が解決しようとする課題】
【０００７】
しかしながら、上記構成では避難口１の開口後、例えば避難速度の遅い高齢者若しくは複数の避難者７が連続的に避難口１を通過する場合のように、シート状扉２及びシート状カバー３が長時間押し広げ荷重を受け続けて開放状態を継続すると、シート状扉２の閉塞復元性が低下してしまう。
【０００８】
また、図９（ロ）に示すように、シート状扉２の上端部とシート状カバー３の上端部との重り部分Ａは、シート状扉２の表面部分に、シート状カバー３の裏面部分が重り合うように縫着保持されている。
そのため、上述のようにシート状扉２及びシート状カバー３が長時間押し広げ荷重を受け続けて開放状態を継続し、シート状扉２の閉塞復元性が低下すると、シート状カバー３の下端部では、シート状カバー３の閉塞復元動作がシート状扉２の復元動作よりも先に作用し、シート状扉２とシート状カバー３との表裏の重なり位置関係が逆になってしまう。
【０００９】
さらに、シート状カバー３の閉塞復元動作が先に作用し、遅れてシート状扉２が閉塞方向へ自動的に復元しようとするとき、図９（ハ）で示すようにシート状扉２の下端部では、シート状扉２の裏面が、シート状カバー３の表側と重り合うようになり、シート状扉２は、シート状カバー３に対して捩れを生じる形態となってしまう。その結果、該シート扉２とシート状カバー３との間で隙間が生じ、これによりシート状扉２による避難口１の遮蔽性能が損なわれ、有効な防火防煙が期待できないという懸念がある。
【００１０】
そこで、本願発明の目的は、上述の問題点に鑑み、避難口に形成したスリットがシート状カバーの重ね合わせにより閉塞される避難口を設けた耐火シートによる防火防煙シャッターにおいて、上記避難口が長時間に亘り開口するような使用状況が如何なるときであっても、避難者が通過した後の避難口は、シート状扉が閉塞された後にシート状カバーが整然と閉塞されるように動作規制することにより、上記スリットを確実に閉塞させることを可能とする防火防煙シャッターを提供することである。
【００１１】
【課題を解決するための手段】
上記目的は、請求項１に記載の耐火性シートからなるスクリーン本体に、避難者が通過可能な避難口となる開口スリットを設け、該開口スリットで区分される片側シート部をシート状扉となし、また上記開口スリットで区分される他側シート部には、上記開口スリット上に重ね合わせるシート状カバーを設け、さらに上記スクリーン本体の下縁には、該スクリーン本体を重力降下せしめるためのメインウエイトバーを設けると共に上記シート状扉の下縁には、一端が上記メインウエイトバーに対してシート状扉を閉方向へ復元可能に軸支され、他端は自由動作端となっている扉用ウエイトバーを取り付けてなる防火防煙シャッターにおいて、一端は開放角度規制手段を介して上記メインウエイトバーに軸支され、他端は自由動作端であって上記扉用ウエイトバーの自由端部表側と係止可能に位置されているカバー取付バーと、一端が該カバー取付バーの裏側面で支軸を介して軸支され、その他端は自由動作端であって上記扉用ウエイトバーの自由端部裏側と係止可能に対応位置されている副片とからなるカバーガイド構体を設け、該カバーガイド構体のカバー取付バーと副片とを軸支している支軸には、上記カバー取付バーの自由端側と上記副片の自由端側との間を常に押し開くように付勢する付勢手段を有し、更にカバーガイド構体のカバー取付バーに、上記シート状カバーの下縁を取付けてなることを特徴とする耐火性シートを用いた防火防煙シャッターによって達成することができる。
【００１２】
本発明の好ましい実施態様においては、請求項２に記載のように、開放角度規制手段は、上記メインウエイトバーの端部に取付けられる第１の取付片と、上記カバーガイド構体のカバー取付バーの一端に取付けられる第２の取付片とを有し、その両取付片とを、支軸で連結すると共に、両取付片の取付面が平面となるように位置規制する規制構造と、上記カバー取付バーが開放動作されたとき、上記両取付片のそれぞれの取付面でなされる角度が所定の角度で保持されるように位置規制する規制構造を有していることを特徴としている。
【発明の効果】
【００１３】
本願発明に係る耐火性シートを用いた防火防煙シャッターは、避難口を開口するシート状扉と、その避難口のスリット表面部に重ね合せられるシート状カバーを設けてなる防火防煙シャッターにおいて、そのシート状カバー下縁に、上記開放角度規制手段を設けたものであるから、シート状扉が避難者等により押し開けられた場合に、シート状扉の開口動作に追従してシート状カバーも開口動作し、避難口の開口が円滑確実になされる。
【００１４】
また、本願発明に係る防火防煙シャッターによれば、避難口において避難者等の通過がなくなった場合に、シート状扉の閉口動作に追従してシート状カバーが閉口方向へ動作し、該シート状カバーは、シート状扉の表面側でその開口スリットを塞ぐように、精度よく重ね合わせられる。
従って、避難者が通過していない時の避難口スリットは、シート状カバーより確実に閉塞維持されるために気密性に優れたシート状防火防煙シャッターを提供することができる。
【００１５】
さらに、本願発明に係る防火防煙シャッターによれば、シート状扉の開放動作に追従して解放したシート状カバーの開放位置が規制されるので、シート状扉が閉塞動作される前にシート状カバーが閉塞動作されることがない。
従って、シート状カバーによるスリットの閉塞を確保することができる。
【００１６】
さらにまた、本願発明に係る防火防煙シャッターによれば、シート状カバーの開放動作時における、カバー取付バーと副片との自由端側が付勢手段により常に開かれる方向へ付勢せしめているため、シート状扉の閉塞動作時において、扉用ウエイトバーの自由端部を、カバー取付バーと副片の間に確実に案内することが可能となる。また、これにより、カバーガイド構体を閉塞方向へ確実に回転動作することができる。さらに、シート状扉の閉塞動作に続くシート状カバーの閉塞動作を円滑且つ確実に行い、シート状カバーによって、避難口スリットも確実に閉塞することができる。
【発明を実施するための最良の形態】
【００１７】
以下に本発明による防火防煙シャッターの実施の形態を図面に基いて詳細に説明する。
【００１８】
図１は本実施形態のカバーガイド構体を設けた防火防煙シャッターの要部を示した斜視図、図２はそのカバーガイド構体の構成を示す斜視図、図３、図４は開放角度規制手段としてのヒンジ構成を示す説明図、図５乃至図７はカバーガイド構体の動作説明図である。
【００１９】
図１に基づいて、耐火性シートを用いた防火防煙シャッターの構成について説明する。
【００２０】
スクリーン本体１１は、耐火性シートで形成されている。スクリーン本体１１は、下端に周知の手段であるメインウエイトバー１２を取付けており、上端部から、例えば建物の天井部に水平方向に設けられている不図示の巻取軸に巻き取られている。火災等が発すると、自動的に又は手動操作によって、巻取軸は巻取方向と逆方向へ回転し、スクリーン本体１１が、メインウエイトバー１２の重力で垂下し、その結果建物の出入口または通路等を遮断し、発火、発煙の流通を阻止する。
【００２１】
上記スクリーン本体１１には、避難口とする縦方向のスリット１３を設ける。図１においては、該スリット１３の左側をシート状扉１４に形成し、該スリット１３の右側の表面に、上記スリット１３上に重ね合せるシート状カバー１５を、スクリーン本体１１と一体となるようミシン等によって縫着１６する。
【００２２】
上記シート状扉１４の下縁には、メインウエイトバー１２に対し蝶番１７を介して軸支される帯状の扉用メインウエイトバー１８を、シート状扉１４の下縁に沿って取付ける。この蝶番１７には、扉用ウエイトバー１８を常時閉塞する方向（スクリーン本体１１に接近させる方向）へ弾性付勢せしめるための復元ばね１９が組付けられている。
【００２３】
本実施形態では、復元ばね１９のばね力で扉用ウエイトバー１８を常時閉塞する方向へ付勢しているが、これに限るものではない。例えば垂直線に対して傾斜する傾斜軸を具備せしめた不図示の蝶番等を使用して、開動した扉用ウエイトバー１８をその自重を利用して該扉用ウエイトバーを常に閉方向へ付勢するようにしてもよい。
【００２４】
カバーガイド構体２０は、上記扉用ウエイトバー１８の自由端部に係止されて位置する。
該カバーガイド構体２０は、上記メインウエイトバー１２に蝶番タイプの開放角度規制手段２１を介して軸支される帯状のカバー取付バー２２と、該カバー取付バー２２の裏側略中位置に取付けられている支軸２３に一端部を軸支される帯状の副片２４と、から構成されている。
上記カバー取付バー２２と、副片２４の自由端部とにより嘴形状を形成し、且つ該嘴形状部で、上記扉用ウエイトバー１８の自由端部を咥え得るように対応位置している。
また上記支軸２３には、カバー取付バー２２と副片２４のそれぞれの自由端部を互いに開かせる方向へ付勢する付勢手段、即ちばね３３を巻回保持させている。
【００２５】
次に上記開放角度規制手段２１の構成について説明する。
開放角度規制手段２１は、図３で示すように垂直軸２５により、互いに連結される第１の取付片２６及び第２の取付片２７を有している。
第１の取付片２６は、垂直軸２５の周方向に沿う２ヶ所に、Ｖ字状のカム構２８Ａとカム構２８Ｂをそれぞれ形成したカム部材２９を第１の取付片２６に対し一体に固着して成る。
第２の取付片２７には、上記それぞれのカム溝２８Ａ、２８Ｂ内に嵌入される突起３０を設けてなる位置規制部材３１を第２の取付片２７に対し軸方向には変位可能であるが、軸と周方向には移動不能に係止保持している。
【００２６】
さらに上記第１の取付片２６と第２の取付片２７との間には、上記垂直軸２５を軸として巻回支持されて、上記の突起３０がカム溝２８Ａ、２８Ｂいずれか一方の内部へ弾圧的に嵌入せしめるためのばね３２を介在している。
【００２７】
従って、該開放角度規制手段２１は、突起３０が一方のカム溝２８Ａ内に弾圧ばね３２の弾圧力を受けて嵌入されているときは、第１の取付片２６の取付面と第２の取付片２７の取付面とは互いに平面位置となるように規制され、また、上記弾圧ばね３２の弾圧力に抗して、第１の取付片２６と第２の取付片２７を垂直軸２５を軸として相対的に回動させて、上記の突起３０を他方のカム溝２８Ｂ内に嵌入させれば、第１の取付片２６の取付面と第２の取付片２７の取付面とでなす角度は、図４で示すように所定の開放角度θが保持されるようになっている。
【００２８】
この所定の開放角度θとは、後述するカバー取付バー２２の開放角度を意味するものであって、本発明の実施形態ではその開放角度を１２０度とすることが望ましい。尚、開放角度θは、本発明の実施形態では約１２０度とすることを意味するものであるが、他の実施例においては、これに限定するものではない。
【００２９】
上記所定の開放角度θを規制するための開放角度規制手段として、上記構成を一例として説明したが、この構成にかぎられるものではなく、同等の開放角度規制を行ない得るものであればよい。
【００３０】
以上が本発明で特徴としているカバーガイド構体の構成説明である。次にその作用について説明する。
本発明におけるシート状防火防煙シャッターは、先に従来例で説明したと同様に、耐火性シートの下縁にウエイトバーを取付けてなるスクリーン本体にスリット状の避難口を設け、この避難口の口縁片側をシート状扉２となし、またその避難口の表面側を閉塞するようにしてスクリーン本体に縫着保持されるシート状カバー３を有するものとして説明する。
【００３１】
図２に示すように、上記シート状防火防煙シャッターのシート状扉２の下縁を、ウエイトバーの一部に構成されている扉用ウエイトバー１８の裏面（表面でも可）に適宜取付手段を介して気密的に固定（接着も含む）する。
シート状カバー３の下縁に、カバーガイド構体２０を構成しているカバー取付バー２２の表面を、適宜取付け手段により気密的に固定（接着も含む）することによって、シート状カバーによるスリットの閉塞を確保することができる。
【００３２】
例えば火災等の災害の発生時に、上記構成に係る防火防煙シャッターが、自動的または手動的に、メインウエイトバー１２の重力で垂下し、建物の通路等を遮蔽した状態においては、図５に示すようにシート状扉１４が取付けられている扉用ウエイトバー１８は、蝶番１７の復元力で、メインウエイトバー１２と平行に位置するように動作する。
これによってスクリーン本体１１に設けられているスリット状避難口１が閉塞状態になっており、さらに、その扉用ウエイトバー１８の閉塞動作で、カバーガイド構体２０の副片２４がメインウエイトバー１２と接近するように押動されるために、この副片２４の押動に伴って、カバー取付バー２２もメインウエイトバー１２と平行に位置するように動作する。
以上のように、シート状扉１４はスリット状の避難口を閉塞し、さらにスリット状避難口１の表面側に、シート状カバー１５が重ね合せられて避難口１の閉塞状態を維持することから、シート状扉の閉塞に追随する精度の良いシート状カバーの閉塞動作を確保することができる。
【００３３】
火災発生に伴う避難者が、図６において矢印方向からシート状扉１４を表面側（前方側）へ押圧すると、シート状扉１４に取付けられている扉用ウエイトバー１８は、蝶番１７の弾性力に抗して押動し、避難口１を開口する。扉用ウエイトバー１８の開動力に伴い、該扉用ウエイトバー１８の自由端部に係合するカバー取付バー２２が、開放角度規制手段２１の垂直軸２５を軸として開放方向へ動作する。
【００３４】
該カバー取付バー２２が開放方向へ動作することで、このカバー取付バー２２に取付けられているシート状カバー１５も避難口１を開口する方向へ移動するが、そのカバー取付バー２２の開放角度θは開放角度規制手段２１によって決められる。即ちカバー取付バー２２が扉用ウエイトバー１８の動作で押し開かれると、開放角度規制手段２１の突起３０がばね３２の弾圧力に抗して変位し、カム溝２８Ｂ内に嵌入される。これによってカバー取付バー２２の開放角度θ（例えば１２０度）は図６で示す開放位置で保持され、避難者は、避難口１を通過することが容易となる。
【００３５】
避難者の通過がなくなりシート状扉１４の開放押動力がなくなると、図７で示すように扉用ウエイトバー１８は垂直蝶番１７の弾性復元力により避難口１を閉塞する方向へ復元する。このとき、その扉用ウエイトバー１８の自由端が、カバー取付バー２２の裏側に軸支されている副片２４の自由端部に当接するために、カバー取付バー２２は扉用ウエイトバー１８及び副片２４と共に避難口の閉塞方向へ、開放角度規制手段の２１の垂直軸２５を支軸として強制的に回動される。
【００３６】
カバー取付バー２２が避難口閉塞方向へ回動するとき、開放角度規制手段２１の突起３０は、弾圧ばね３２の弾圧力に抗して、カム溝２８Ｂからカム溝２８Ａに移動し、そのカム溝２８Ａ内に嵌入保持される。そのため、扉用ウエイトバー１８及びカバー取付バー２２は、図５で示す位置へ復元し、避難口１がシート状扉１４により閉塞された後に、シート状扉１４の表側にシート状カバー１５が追随して整然と位置し、避難口１の確実な閉塞が維持される。
【００３７】
シート状扉１４及びシート状カバー１５により避難口１が閉塞された後の副片２４は、ばね３３の弾性に抗してメインウエイトバー１２に押し当てられて、カバー取付バー２２と副片２４とが略平行となる位置で保持される（図５参照）。なおばね３３のばね力は、上記の如くシート状カバー１５が開放状態にあるときは、カバー取付バー２２と副片２４との自由端部相互を押し開くことができるが、シート状カバー１５が閉塞状態にあるときは、メインウエイトバー１２に押し当てられている副片２４とカバー取付バー２２との自由端部相互を押し開くことのできない弱力のものであればよい。
【００３８】
なお本実施形態では、副片２４とカバー取付バー２２とはばね２３のばね力により開放方向へ付勢されているが、これに限られるものではなく、例えば垂直線に対して傾斜する傾斜軸を具備せしめた不図示の蝶番等を使用して、開動した副片２４がその自重で常に閉塞方向へ動作させるようにしてもよい。
【図面の簡単な説明】
【００３９】
【図１】    本発明よりなる防火防煙シャッターの実施の形態を示す要部斜視図である。
【図２】    本発明よりなる防火防煙シャッターに取付け使用されるウエイト部の機構を示す斜視図である。
【図３】    本発明よりなる防火防煙シャッターに取付けに使用される開放角度規制手段の斜視図である。
【図４】    図３に示す開放角度規制手段の角度規制時を示した説明図である。
【図５】    本発明よりなる防火防煙シャッターの避難口閉塞時の説明図である。
【図６】    本発明よりなる防火防煙シャッターの避難口開放時の説明図である。
【図７】    本発明よりなる防火防煙シャッターの避難口閉塞復元時の説明図である。
【図８】    先行技術である防火防煙シャッターを示した説明図である。
【図９】    従来の防火防煙シャッターの動作説明図であって、（イ）は避難口の閉塞時を示し、（ロ）は避難口の開放時を示し、（ハ）は避難口の不正閉塞状態を示す。
【符号の説明】
【００４０】
１０・・・・・・・・シャッターカーテン
１１・・・・・・・・スクリーン本体
１２・・・・・・・・メインウエイトバー
１３・・・・・・・・スリット
１４・・・・・・・・シート状扉
１５・・・・・・・・シート状カバー
１６・・・・・・・・縫着
１７・・・・・・・・蝶番
１８・・・・・・・・扉用ウエイトバー
１９・・・・・・・・復元ばね
２０・・・・・・・・カバーガイド構体
２１・・・・・・・・開放角度規制手段
２２・・・・・・・・カバー取付バー
２３・・・・・・・・支軸
２４・・・・・・・・副片
２５・・・・・・・・垂直軸
２６・・・・・・・・第１の取付先
２７・・・・・・・・第２の取付先
２８Ａ、２８Ｂ・・・カム溝
２９・・・・・・・・カム部材
３０・・・・・・・・突起
３１・・・・・・・・位置規制部材
３２・・・・・・・・ばね
３３・・・・・・・・ばね
【図１】
0003939105.tif 000002
【図２】
0003939105.tif 000003
【図３】
0003939105.tif 000004
【図４】
0003939105.tif 000005
【図５】
0003939105.tif 000006
【図６】
0003939105.tif 000007
【図７】
0003939105.tif 000008
【図８】
0003939105.tif 000009
【図９】
0003939105.tif 000010